【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
情報処理装置であって、
複数の機能を提供するための制御ファイルを読み込んで、周辺装置に関する情報を提供する際に用いる地域情報を当該情報処理装置のレジストリから取得して、前記制御ファイルに応じて、前記地域情報が第１地域である場合は第１機能を提供するためのボタンを、前記地域情報が前記第１地域とは異なる第２地域である場合は前記第１機能とは異なる第２機能を提供するためのボタンを表示する表示手段を有し、
前記第１機能を提供するための前記ボタン及び前記第２機能を提供するための前記ボタンをユーザーが選択した第１言語又は第２言語により前記表示手段が表示することを特徴とする情報処理装置。
【請求項２】
前記表示手段はユーザーによるサポートボタン押下後に少なくとも２エリアの少なくとも２つのユーザーサポートボタンを表示することを特徴とする請求項１に記載の情報処理装置。
【請求項３】
前記表示手段が表示する前記ボタンはリンクボタンであることを特徴とする請求項１又は請求項２に記載の情報処理装置。
【請求項４】
前記表示手段は、前記周辺装置から通信回線を介して仕向け地の情報を取得する、または前記周辺装置を識別するためのデバイスＩＤに含まれる情報から仕向け地の情報を取得することを特徴とする請求項１乃至３のいずれか１項に記載の情報処理装置。
【請求項５】
前記表示手段は、前記周辺装置の設定を行うための機能をまとめたアイコン、ユーザサポートを提供するための機能をまとめたアイコン、及びソフトウェアのダウンロードのサービスを提供するための機能をまとめたアイコンを画面上に表示することを特徴とする請求項１乃至４のいずれか１項に記載の情報処理装置。
【請求項６】
前記第１機能及び前記第２機能はユーザサポート、ソフトウェアのダウンロードのサービスを提供するための機能、前記周辺装置を管理または制御のいずれか一つのための機能であることを特徴とする請求項１乃至５のいずれか１項に記載の情報処理装置。
【請求項７】
前記制御ファイルは前記ユーザーが選択した前記第１言語又は前記第２言語に関する記述を含むことを特徴とする請求項１乃至６のいずれか１項に記載の情報処理装置。
【請求項８】
コンピュータを、
複数の機能を提供するための制御ファイルを読み込んで、周辺装置に関する情報を提供する際に用いる地域情報を当該コンピュータのレジストリから取得して、前記制御ファイルに応じて、前記地域情報が第１地域である場合は第１機能を提供するためのボタンを、前記地域情報が前記第１地域とは異なる第２地域である場合は前記第１機能とは異なる第２機能を提供するためのボタンを表示する表示手段として機能させ、
前記第１機能を提供するための前記ボタン及び前記第２機能を提供するための前記ボタンをユーザーが選択した第１言語又は第２言語により前記表示手段が表示することを特徴とするプログラム。
【請求項９】
前記表示手段はユーザーによるサポートボタン押下後に少なくとも２エリアの少なくとも２つのユーザーサポートボタンを表示することを特徴とする請求項８に記載のプログラム。
【請求項１０】
前記表示手段が表示する前記ボタンはリンクボタンであることを特徴とする請求項８又は請求項９に記載のプログラム。
【請求項１１】
前記表示手段は、前記周辺装置から通信回線を介して仕向け地の情報を取得する、または前記周辺装置を識別するためのデバイスＩＤに含まれる情報から仕向け地の情報を取得することを特徴とする請求項８乃至１０のいずれか１項に記載のプログラム。
【請求項１２】
前記表示手段は、前記周辺装置の設定を行うための機能をまとめたアイコン、ユーザサポートを提供するための機能をまとめたアイコン、及びソフトウェアのダウンロードのサービスを提供するための機能をまとめたアイコンを画面上に表示することを特徴とする請求項８乃至１１のいずれか１項に記載のプログラム。
【請求項１３】
前記第１機能及び前記第２機能はユーザサポート、ソフトウェアのダウンロードのサービスを提供するための機能、前記周辺装置を管理または制御のいずれか一つのための機能であることを特徴とする請求項８乃至１２のいずれか１項に記載のプログラム。
【請求項１４】
前記制御ファイルは前記ユーザーが選択した前記第１言語又は前記第２言語に関する記述を含むことを特徴とする請求項８乃至１３のいずれか１項に記載のプログラム。
【請求項１５】
複数の機能を提供するための制御ファイルを読み込んで、周辺装置に関する情報を提供する際に用いる地域情報を情報処理装置のレジストリから取得して、前記制御ファイルに応じて、前記地域情報が第１地域である場合は第１機能を提供するためのボタンを、前記地域情報が前記第１地域とは異なる第２地域である場合は前記第１機能とは異なる第２機能を提供するためのボタンを表示する表示工程を有し、
前記第１機能を提供するための前記ボタン及び前記第２機能を提供するための前記ボタンをユーザーが選択した第１言語又は第２言語により前記表示工程が表示することを特徴とする制御方法。
【請求項１６】
コンピュータを、
周辺装置に関する情報を提供する際に用いる地域情報を当該情報処理装置のレジストリから取得して、前記地域情報が第１地域である場合は第１機能を提供するためのボタンを、前記地域情報が前記第１地域とは異なる第２地域である場合は前記第１機能とは異なる第２機能を提供するためのボタンを表示するための制御ファイルをインストールするインストール手段として機能させ、
前記第１機能を提供するための前記ボタン及び前記第２機能を提供するための前記ボタンをユーザーが選択した第１言語又は第２言語により表示されることを特徴とするプログラム。
【手続補正２】
【補正対象書類名】明細書
【補正対象項目名】００１５
【補正方法】変更
【補正の内容】
【００１５】
上記の目的を達成するための本発明に係る情報処理装置は、
情報処理装置であって、
複数の機能を提供するための制御ファイルを読み込んで、周辺装置に関する情報を提供する際に用いる地域情報を当該情報処理装置のレジストリから取得して、前記制御ファイルに応じて、前記地域情報が第１地域である場合は第１機能を提供するためのボタンを、前記地域情報が前記第１地域とは異なる第２地域である場合は前記第１機能とは異なる第２機能を提供するためのボタンを表示する表示手段を有し、
前記第１機能を提供するための前記ボタン及び前記第２機能を提供するための前記ボタンをユーザーが選択した第１言語又は第２言語により前記表示手段が表示することを特徴とする。
【手続補正３】
【補正対象書類名】明細書
【補正対象項目名】００１６
【補正方法】変更
【補正の内容】
【００１６】
上記の目的を達成するための本発明に係るプログラムは、
コンピュータを、
周辺装置に関する情報を提供する際に用いる地域情報を当該情報処理装置のレジストリから取得して、前記地域情報が第１地域である場合は第１機能を提供するためのボタンを、前記地域情報が前記第１地域とは異なる第２地域である場合は前記第１機能とは異なる第２機能を提供するためのボタンを表示するための制御ファイルをインストールするインストール手段として機能させ、
前記第１機能を提供するための前記ボタン及び前記第２機能を提供するための前記ボタンをユーザーが選択した第１言語又は第２言語により表示されることを特徴とする。